(57)【要約】【課題】ゲートを切断して樹脂製品からランナーを切り離すための作業性を高め、かつ、専用治具や工具を不要として生産コストの低減を図る。【解決手段】成形型内のキャビティーに溶融樹脂を充填することにより樹脂製品を成形する射出成形装置であって、成形型の型締め型開きの作動に連動してスライドするスライドコア２０を備えている。このスライドコアは、キャビティー１２で成形された樹脂製品３０とランナー１６Ａとの間のゲート１８Ａの箇所に位置する刃部２２を有する。そして、成形型が型開きするときの作動に連動するスライドコア２０のスライドにより、刃部２２でゲート１８Ａを切断するように構成されている。【選択図】図４
2015074138.tif 000002
【特許請求の範囲】
【請求項１】
成形型内のキャビティーに対し、スプルーおよびランナーを通じて溶融樹脂を充填することにより樹脂製品を成形する射出成形装置であって、
成形型の型締め型開きの作動に連動してスライドするスライドコアを備え、このスライドコアは、成形型が型締めされた状態において、キャビティーで成形された樹脂製品とランナーとの間のゲートの箇所に位置する刃部を有し、成形型が型開きするときの作動に連動するスライドコアのスライドにより、該スライドコアの刃部でゲートを切断するように構成された射出成形装置。
【発明の詳細な説明】
【技術分野】
【０００１】
本発明は、成形型に対して溶融樹脂を射出して樹脂製品を成形する射出成形装置に関する。
【背景技術】
【０００２】
射出成形による樹脂製品は、射出ユニットから成形型内のキャビティーに対して溶融樹脂を充填することで成形される。このため、成形後の樹脂製品には、射出ユニットから成形型内に溶融樹脂が注入されるスプルー、スプルーからキャビティーに向けて溶融樹脂を導くランナーが一体に成形される。これらのスプルーおよびランナーは製品ではないため、成形後の樹脂製品とランナーとの間のゲートを切断し、樹脂製品からランナー（スプルーも含む）を切り離す必要がある。
特許文献１には、ゲートを切断する専用のゲートカット装置が開示されている。
【先行技術文献】
【特許文献】
【０００３】
【特許文献１】特開２００３−２４５９５６号公報
【発明の概要】
【発明が解決しようとする課題】
【０００４】
ゲートの切断は、成形後の樹脂製品を成形型から取出した後、作業者がニッパー等の工具を用いて手作業で行っている。このため、作業性がわるく、特にゲートがランナーよりも幅の広いファンゲートでは、その切断に時間を費やすことになる。また、樹脂製品の形状や大きさによっては、それをセットするための専用治具、あるいは特許文献１に開示されているような専用のカット装置が必要となる。これらのことから、生産コストの増加を招く。
【０００５】
本発明は、このような課題を解決しようとするもので、その目的は、ゲートを切断して樹脂製品からランナーを切り離すための作業性を高め、かつ、専用治具や工具を不要として生産コストの低減を図ることである。
【課題を解決するための手段】
【０００６】
本発明は、上記の目的を達成するためのもので、以下のように構成されている。
成形型内のキャビティーに対し、スプルーおよびランナーを通じて溶融樹脂を充填することにより樹脂製品を成形する射出成形装置であって、成形型の型締め型開きの作動に連動してスライドするスライドコアを備えている。このスライドコアは、成形型が型締めされた状態において、キャビティーで成形された樹脂製品とランナーとの間のゲートの箇所に位置する刃部を有する。そして、成形型が型開きするときの作動に連動するスライドコアのスライドにより、該スライドコアの刃部でゲートを切断するように構成されている。
【発明の効果】
【０００７】
本発明においては、成形型が型締め状態から型開きするときの作動を利用してスライドコアの刃部でゲートを切断することにより、樹脂製品からランナーを切り離す作業が成形型内において完結する。したがって、ゲートの切断を成形型外において作業者が手作業で行う場合と異なり、作業性がよく、かつ、専用治具や工具が不要となって生産コストの低減を図ることができる。
【図面の簡単な説明】
【０００８】
【図１】射出成形装置における成形型の型締め状態を表した断面図。
【図２】成形型の型開き状態を表した断面図。
【図３】成形型（下型）の主要部をパーティングラインから見た平面図。
【図４】図１の一部を拡大して表した断面図。
【図５】図２の一部を拡大して表した断面図。
【発明を実施するための形態】
【０００９】
以下、本発明を実施するための形態を、図面を用いて説明する。
図面で示されている成形型１０は、樹脂成形のための基本構造として上型１０ａと下型１０ｂとからなり、さらにスライドコア２０を備えている。
上型１０ａは昇降動作が可能であり、下型１０ｂは固定されている。固定の下型１０ｂに対して可動の上型１０ａを下降させることで、成形型１０が図１で示すように型締めされ、上型１０ａを上昇させることで、成形型１０が図２で示すように型開きされる。スライドコア２０は、下型１０ｂに対して水平方向へスライドすることが可能であり、このスライドによって後述するゲート切断の機能を果たす。
【００１０】
成形型１０の内部には、図１で示す型締め状態での上型１０ａと下型１０ｂとにより、樹脂製品３０を成形するためのキャビティー１２が構成されている。上型１０ａは、射出ユニット（図示省略）から溶融樹脂が注入されるスプルー１４を備えている。このスプルー１４は、上型１０ａの内部において成形型１０のパーティングラインＰＬまで貫通している（図１，２）。
下型１０ｂおよびスライドコア２０は、スプルー１４からキャビティー１２に向けて溶融樹脂を導くランナー１６を備えている。このランナー１６は、パーティングラインＰＬに接する上面が開放されており、下型１０ｂ側の開放面においてスプルー１４と連通している（図３）。また、ランナー１６は、スライドコア２０側のゲート１８を介してキャビティー１２に連通している（図３，４）。
【００１１】
スライドコア２０は、ゲート１８の箇所において刃部２２を備えている（図４，５）。また、スライドコア２０に対しては、上型１０ａに固定されたアンギュラピン２４が貫通している（図１）。アンギュラピン２４の軸線は、上型１０ａが昇降する垂直線に対して所定の角度で傾斜している。これにより、スライドコア２０が上型１０ａの昇降に連動して水平方向へスライドすることになる。
なお、図２で示すように成形型１０が型開きされたときのスライドコア２０のスライド位置は、下型１０ｂに固定されたコアストッパー２６によって規制される。
【００１２】
図１で示す成形型１０の型締め状態において、射出ユニットからスプルー１４およびランナー１６を通じてキャビティー１２に溶融樹脂が注入され、このキャビティー１２において樹脂製品３０が成形される。そして、スプルー１４、ランナー１６およびゲート１８においても、それぞれに充填された樹脂による成形物が存在する。これらの成形物を、図３で示すようにスプルー１４Ａ、ランナー１６Ａおよびゲート１８Ａと称し、成形型１０内の樹脂通路であるスプルー１４、ランナー１６およびゲート１８と区別する。
【００１３】
図１で示す成形型１０の型締め状態から上型１０ａを上昇させることで、図２で示す型開き状態になる。このときの上型１０ａの上昇に連動して、スライドコア２０が図１で示す位置から図２で示す位置にスライドする。これにより、スライドコア２０の刃部２２が図４で示す位置から図５で示す位置に移動してゲート１８Ａを切断し、樹脂製品３０からランナー１６Ａが切り離される。
なお、スライドコア２０は、一般的にはスプリング（図示省略）によって図１，２の左方向へ付勢されている。そこで、上型１０ａと共にアンギュラピン２４が上昇することに伴い、スライドコア２０がスプリングの付勢力によって図２で示す位置にスライドする。また、型締めのために上型１０ａが下降し始めると、アンギュラピン２４の作用により、スライドコア２０はスプリングの付勢力に抗して図１で示す元の位置にスライドする。
【００１４】
スライドコア２０の刃部２２によってゲート１８Ａを切断した状態において、このゲート１８Ａとランナー１６Ａのゲート１８Ａ側の部分とは、スライドコア２０のスライドに伴って図３の実線で示す位置から仮想線で示す位置に移動する。これに対し、スプルー１４Ａとランナー１６Ａのスプルー１４Ａ側の部分とは、下型１０ｂに拘束されて静止したままである。
【００１５】
このことから、スライドコア２０のスライドによってスプルー１４Ａ側とゲート１８Ａ側との間には相対的な変位が生じる。しかし、この程度の変移量は、樹脂製のランナー１６Ａが図３の仮想線で示すように撓むことで吸収される。したがって、樹脂製品３０から切り離されたスプルー１４Ａ、ランナー１６Ａおよびゲート１８Ａは、互いに結合されたままで成形型１０から取出される。
【００１６】
このように、成形型１０を型開きするときのスライドコア２０のスライドことにより、非製品であるスプルー１４Ａ、ランナー１６Ａおよびゲート１８Ａを樹脂製品３０から切り離すことができる。そして、この切り離し作業は成形型１０の内部において完結する。このため、成形型１０の外部においてゲート１８Ａを切断する作業が不要となり、かつ、専用治具や切断工具も不要となる。
なお、成形型１０におけるスライドコア２０のスライド方向については、水平方向に限られるものではなく、必要に応じて斜め方向に設定することも可能である。
【符号の説明】
【００１７】
１０   成形型
１２   キャビティー
１４   スプルー
１４Ａ スプルー
１６   ランナー
１６Ａ ランナー
１８   ゲート
１８Ａ ゲート
２０   スライドコア
３０   樹脂製品
【図１】
2015074138.tif 000003
【図２】
2015074138.tif 000004
【図３】
2015074138.tif 000005
【図４】
2015074138.tif 000006
【図５】
2015074138.tif 000007